(57)【要約】  本発明の目的は、ユーザがより簡単かつ便利に所望の物品を選択することができるようにするための物品提供装置、ディスプレイ装置及びＧＵＩ提供方法を提供することにある。  物品提供装置、ディスプレイ装置及びこれを用いたＧＵＩ提供方法が提供される。本物品提供装置は、ディスプレイ部、抽出部及び特性情報に対応する映像がディスプレイされるように制御する制御部を含む。これにより、ユーザの特性情報に応じて互いに異なる画面をユーザに提供することで、ユーザにとってはより容易かつ簡便に物品を購買できるようにし、提供者にとってはユーザの購買欲求を喚起させて売り上げを増大させることができるようにする。
2012519922.tif 000002
【特許請求の範囲】
【請求項１】
特定の距離内に存在するユーザを有する物品提供装置において、
映像をディスプレイするディスプレイ部と、
特定の距離内に存在するユーザの特性情報を抽出する抽出部と、
抽出された前記ユーザの特性情報に基づいて映像がディスプレイされるようにする制御部と、
を含む物品提供装置。
【請求項２】
前記映像は、ユーザが選択できる物品のメニュー画面または広告画面のうち少なくとも一つを含むことを特徴とする請求項１に記載の物品提供装置。
【請求項３】
前記抽出部は、前記ユーザによってタッチされた部分に対する位置情報を前記ユーザの特性情報として抽出するためのタッチスクリーンを含み、
前記ユーザ情報は、前記位置情報を含むことを特徴とする請求項１に記載の物品提供装置。
【請求項４】
前記映像は、前記タッチされた部分の高さに基づいて算出された年齢に対応する広告画面であることを特徴とする請求項３に記載の物品提供装置。
【請求項５】
前記抽出部は、ユーザの身体寸法を前記ユーザの特性情報として抽出するための位置センサを含むことを特徴とする請求項１に記載の物品提供装置。
【請求項６】
前記ユーザ情報は、ユーザの身長であることを特徴とする請求項１に記載の物品提供装置。
【請求項７】
前記ユーザ情報は、ユーザの視野範囲であることを特徴とする請求項１に記載の物品提供装置。
【請求項８】
前記映像は、前記特性情報に基づいて算出された年齢に対応する広告画面であることを特徴とする請求項１に記載の物品提供装置。
【請求項９】
前記抽出部は、ユーザが持つＲＦＩＤ（Ｒａｄｉｏ  Ｆｒｅｑｕｅｎｃｙ  Ｉｄｅｎｔｉｆｉｃａｔｉｏｎ）タグによって伝送されるＲＦ（Ｒａｄｉｏ  Ｆｒｅｑｕｅｎｃｙ）信号に基づいて前記ユーザの特性情報を抽出するためのＲＦＩＤリーダーを含むことを特徴とする請求項１に記載の物品提供装置。
【請求項１０】
前記ＲＦ信号に含まれた前記ユーザの特性情報は、ユーザの好みに関する情報、ユーザの性別及びユーザの年齢のうち少なくとも一つを含むことを特徴とする請求項９に記載の物品提供装置。
【請求項１１】
前記抽出部は、複数の入力ボタンを含み、
前記制御部は、前記複数の入力ボタンのうちユーザによって選択された入力ボタンに対応する映像がディスプレイされるように制御することを特徴とする請求項１に記載の物品提供装置。
【請求項１２】
前記抽出部は、前記物品提供装置を基準にしたユーザの左右移動を検知する位置センサを含み、
前記ユーザの特性情報は、前記ユーザの左右移動情報を含むことを特徴とする請求項２に記載の物品提供装置。
【請求項１３】
前記映像は、前記ユーザの左右移動に基づいて、左または右に移動することを特徴とする請求項１２に記載の物品提供装置。
【請求項１４】
前記メニュー画面は、前記ユーザの左右移動に基づいて、左または右に移動することを特徴とする請求項１２に記載の物品提供装置。
【請求項１５】
前記メニュー画面の形態は、前記ユーザの左右移動に基づいて変更されることを特徴とする請求項１２に記載の物品提供装置。
【請求項１６】
映像を含むＧＵＩ（Ｇｒａｐｈｉｃ  Ｕｓｅｒ  Ｉｎｔｅｒｆａｃｅ）提供方法において、
ユーザが特定の距離内に存在するか否かを判断するステップと、
前記ユーザが特定の距離内に存在すれば、前記ユーザの特性情報を抽出するステップと、
前記特性情報に対応する映像を生成するステップと、
を含むＧＵＩ提供方法。
【請求項１７】
前記映像は、ユーザが選択できる物品のメニュー画面または広告画面のうち少なくとも一つを含むことを特徴とする請求項１６に記載のＧＵＩ提供方法。
【請求項１８】
前記抽出ステップは、前記ユーザによってタッチされた部分に対する位置情報を前記ユーザの特性情報として抽出することを特徴とする請求項１６に記載のＧＵＩ提供方法。
【請求項１９】
前記映像は、前記タッチされた部分の高さに基づいて算出された年齢に対応する広告画面であることを特徴とする請求項１８に記載のＧＵＩ提供方法。
【請求項２０】
前記ユーザの特性情報は、ユーザの身体寸法を含むことを特徴とする請求項１６に記載のＧＵＩ提供方法。
【請求項２１】
前記ユーザの特性情報は、ユーザの身長を含むことを特徴とする請求項１６に記載のＧＵＩ提供方法。
【請求項２２】
前記ユーザの特性情報は、ユーザの視野範囲を含むことを特徴とする請求項１６に記載のＧＵＩ提供方法。
【請求項２３】
前記映像は、前記特性情報に基づいて算出された年齢に対応する広告画面であることを特徴とする請求項１６に記載のＧＵＩ提供方法。
【請求項２４】
前記抽出ステップは、
ＲＦＩＤ（Ｒａｄｉｏ  Ｆｒｅｑｕｅｎｃｙ  Ｉｄｅｎｔｉｆｉｃａｔｉｏｎ）タグによって受信されたＲＦ（Ｒａｄｉｏ  Ｆｒｅｑｕｅｎｃｙ）信号から前記ユーザの特性情報を抽出し、
前記ユーザの特性情報は、前記ＲＦ信号に含まれたことを特徴とする請求項１６に記載のＧＵＩ提供方法。
【請求項２５】
前記ＲＦ信号に含まれた前記ユーザの特性情報は、ユーザの好み、ユーザの性別及びユーザの年齢のうち少なくとも一つを含むことを特徴とする請求項２４に記載のＧＵＩ提供方法。
【請求項２６】
前記抽出ステップは、
複数の入力ボタンのうち選択された少なくとも一つの入力ボタンの選択を受信するステップを含み、
前記映像は、前記複数の入力ボタンのうち選択された入力ボタンに基づいてディスプレイされることを特徴とする請求項１６に記載のＧＵＩ提供方法。
【請求項２７】
前記抽出ステップは、
前記ユーザの左右移動を検知するステップを含み、
前記映像を生成するステップは、前記ユーザの前記左右移動に基づいて行われることを特徴とする請求項１７に記載のＧＵＩ提供方法。
【請求項２８】
前記映像は、前記ユーザの左右移動に基づいて、左または右に移動することを特徴とする請求項２７に記載のＧＵＩ提供方法。
【請求項２９】
前記メニュー画面は、前記ユーザの左右移動に基づいて、左または右に移動することを特徴とする請求項２７に記載のＧＵＩ提供方法。
【請求項３０】
前記メニュー画面の形態は、前記ユーザの左右移動に基づいて変更されることを特徴とする請求項２７に記載のＧＵＩ提供方法。
【請求項３１】
ディスプレイ部と、
映像を含むＧＵＩを生成するＧＵＩ（Ｇｒａｐｈｉｃ  Ｕｓｅｒ  Ｉｎｔｅｒｆａｃｅ）生成部と、
ユーザの特性情報に基づいて前記映像を生成するように前記ＧＵＩ生成部を制御し、前記映像をディスプレイするように前記ディスプレイ部を制御する制御部と、
を含むディスプレイ装置。
【請求項３２】
前記ユーザの特性情報は、ユーザによってタッチされたディスプレイ部の一部分の情報、前記ユーザの身長に関する情報、前記ユーザの左右移動に関する情報、前記ユーザによって選択されたボタンに関する情報及び前記ユーザのＲＦ（Ｒａｄｉｏ  Ｆｒｅｑｕｅｎｃｙ）タグによって受信されるＲＦＩＤ（Ｒａｄｉｏ  Ｆｒｅｑｕｅｎｃｙ  Ｉｄｅｎｔｉｆｉｃａｔｉｏｎ）信号に含まれた前記ユーザに関する情報のうち少なくとも一つを含むことを特徴とする請求項３１に記載のディスプレイ装置。
【請求項３３】
前記映像は、前記ユーザの特性情報に基づいて得られた前記ユーザの好み、前記ユーザの性別及び前記ユーザの年齢のうち少なくとも一つに対応することを特徴とする請求項３１に記載のディスプレイ装置。
【発明の詳細な説明】
【技術分野】
【０００１】
本発明は、物品提供装置、ディスプレイ装置及びこれを用いたＧＵＩ提供方法に関し、より詳細には、ユーザの特性情報に応じて画面をディスプレイする物品提供装置、ディスプレイ装置及びこれを用いたＧＵＩ提供方法に関する。
【背景技術】
【０００２】
自動販売機は、硬貨、紙幣またはカード等によって商品やサービスなどを販売する機械のことをいう。このような自動販売機は、人手不足の補完、消費環境及び消費様式の変化、小資本による運営、狭い面積で利用可能との理由で普遍化され、様々な場所で様々な商品をユーザに提供している。
【０００３】
一般に、自動販売機は、ユーザから現金及び物品に対する選択命令を手動的に入力され、入力された現金の金額限度内で、選択された物品をユーザに提供する。従って、ユーザが挿入した現金の金額及びユーザが選択した物品以外は、ユーザに対する情報は何も知らないまま、定型化された方式で物品とメニューを提供する。
【０００４】
しかしながら、このような従来の自動販売機は、物品を提供されようとするユーザがどのような特性を持っているかをまったく考慮せず、ユーザに不便をかける。例えば、障害のあるユーザまたは背の低いユーザは、物品を選択するためのボタンがわりと高い所に位置していることを理由に、メニューを選択するのが困難であるとの問題点があり、特定のメニューを好んで食べるユーザは、自分の嗜好とは離れた物品の中でメニューを選べなければならないため、直観的にメニューを選択することができないという問題が存在する。
【０００５】
そのため、ユーザの特性を考慮して、ユーザが便利かつ直観的に物品を購買できるようにする方策の模索が求められる。
【先行技術文献】
【特許文献】
【０００６】
【特許文献１】特開１９９７−３３０４６０号公報
【特許文献２】特開１９９７−０４４７３６号公報
【特許文献３】特開１９９８−１４３７４４号公報
【発明の概要】
【発明が解決しようとする課題】
【０００７】
そこで、本発明は、上記問題に鑑みてなされたものであり、本発明の目的とするところは、ユーザがより簡単かつ便利に所望の物品を選択することができるようにするための物品提供装置、ディスプレイ装置及びＧＵＩ提供方法を提供することにある。
【課題を解決するための手段】
【０００８】
前記目的を達成するための本発明の一実施形態にかかる物品提供装置は、外部または内部から入力されるビデオ信号をディスプレイするディスプレイ部と、特定の距離内に存在するユーザの特性情報を抽出する抽出部と、前記特性情報に対応する映像がディスプレイされるようにする制御部と、を含む。
【０００９】
ここで、前記映像は、ユーザが選択できる物品のメニュー画面または広告画面のうち少なくとも一つを含むことができる。
【００１０】
なお、前記抽出部は、ユーザによってタッチされた部分に対する位置情報を前記ユーザの特性情報として抽出するためのタッチスクリーンを含み、前記制御部は、前記位置情報に基づいて前記メニュー画面がディスプレイされるように制御することが好ましい。
【００１１】
そして、前記映像は、前記タッチされた部分の高さに基づいて算出された年齢に対応する広告画面であることが好ましい。
【００１２】
なお、前記抽出部は、ユーザの身体寸法を前記ユーザの特性情報として抽出するための位置センサを含み、前記制御部は、前記特性情報に基づいて前記映像がディスプレイされるように制御することが好ましい。
【００１３】
そして、前記特性情報はユーザの身長であることを特徴とし、前記制御部は、前記ユーザの身長に基づいて前記メニュー画面がディスプレイされるように制御することが好ましい。
【００１４】
なお、前記特性情報は、ユーザの視野範囲であることを特徴とし、前記制御部は、前記ユーザの視野範囲内に前記メニュー画面がディスプレイされるように制御することが好ましい。
【００１５】
そして、前記映像は、前記特性情報に基づいて算出された年齢に対応する広告画面であることが好ましい。
【００１６】
なお、前記抽出部は、ユーザが持つＲＦＩＤタグによって伝送されるＲＦ信号に基づいて前記ユーザの特性情報を抽出するためのＲＦＩＤリーダーを含み、前記制御部は、前記ユーザの特性情報に対応する映像がディスプレイされるように制御することが好ましい。
【００１７】
そして、前記制御部は、前記ＲＦ信号に含まれたユーザの好み、性別及び年齢のうち少なくとも一つの情報に対応する映像がディスプレイされるように制御することが好ましい。
【００１８】
なお、前記抽出部は、上下に配列された複数の入力ボタンを含み、前記制御部は、前記複数の入力ボタンのうちユーザによって選択された入力ボタンに対応する映像がディスプレイされるように制御することが好ましい。
【００１９】
そして、前記抽出部は、前記物品提供装置を基準にしたユーザの左右移動を検知する位置センサを含み、前記制御部は、前記ユーザの左右移動に対応する映像がディスプレイされるように制御することが好ましい。
【００２０】
なお、ユーザの左右移動に応じて前記映像が左右に移動されることが好ましい。
【００２１】
そして、ユーザの左右移動に応じて前記メニュー画面の位置が左右に移動されることが好ましい。
【００２２】
なお、前記ユーザの左右移動に応じて前記メニュー画面の配置形態が変更されることが好ましい。
【００２３】
一方、本発明の一実施形態にかかるＧＵＩ提供方法は、ユーザが特定の距離内に存在するか否かを判断するステップと、前記ユーザが特定の距離内に存在すれば、前記ユーザの特性情報を抽出するステップと、前記特性情報に対応する映像を生成してディスプレイするステップと、を含む。
【００２４】
ここで、前記映像は、ユーザが選択できる物品のメニュー画面または広告画面のうち少なくとも一つを含むことが好ましい。
【００２５】
そして、前記抽出ステップは、前記ユーザによってタッチされた部分に対する位置情報を前記ユーザの特性情報として抽出することが好ましい。
【００２６】
なお、前記映像は、前記タッチされた部分の高さに基づいて算出された年齢に対応する広告画面であることが好ましい。
【００２７】
そして、前記抽出ステップは、ユーザの身体寸法を前記ユーザの特性情報として抽出することが好ましい。
【００２８】
なお、前記特性情報はユーザの身長であり、前記ディスプレイステップは、前記ユーザの身長に基づいて前記メニュー画面をディスプレイすることが好ましい。
【００２９】
そして、前記特性情報は、ユーザの視野範囲であり、前記ディスプレイステップは、前記ユーザの視野範囲内に前記メニュー画面をディスプレイすることが好ましい。
【００３０】
なお、前記映像は、前記特性情報に基づいて算出された年齢に対応する広告画面であることが好ましい。
【００３１】
そして、前記抽出ステップは、ユーザが持つＲＦＩＤタグによって伝送されるＲＦ信号に基づいて前記ユーザの特性情報を抽出することが好ましい。
【００３２】
なお、前記ディスプレイステップは、前記ＲＦ信号に含まれたユーザの好み、性別及び年齢のうち少なくとも一つの情報に対応する映像をディスプレイすることが好ましい。
【００３３】
そして、前記抽出ステップは、上下に配列された複数のボタンのうちのいずれかに対する入力を抽出し、前記制御部は、前記複数の入力ボタンのうちユーザによって選択された入力ボタンに対応する映像がディスプレイされるように制御することが好ましい。
【００３４】
なお、前記抽出ステップは、ユーザの左右移動を検知することを特徴とし、前記ディスプレイステップは、前記ユーザの左右移動に対応する映像がディスプレイされるように制御することが好ましい。
【００３５】
そして、ユーザの左右移動に応じて前記映像が左右に移動されることが好ましい。
【００３６】
なお、ユーザの左右移動に応じて前記メニュー画面の位置が左右に移動されることが好ましい。
【００３７】
そして、前記ユーザの左右移動に応じて前記メニュー画面の配置形態が変更されることが好ましい。
【００３８】
一方、本発明の一実施形態にかかるディスプレイ装置は、ディスプレイ部と、ＧＵＩを生成するＧＵＩ生成部と、ユーザの特性情報に基づいた映像を生成して、前記映像が前記ディスプレイ部にディスプレイされるように前記ＧＵＩ生成部を制御する制御部と、を含む。
【００３９】
ここで、前記特性情報は、ユーザによってタッチされた前記ディスプレイの位置に対する情報、ユーザの身長情報、ユーザの左右移動情報、ユーザが選択したボタンに対する情報及びユーザが持つＲＦタグによって伝送されるＲＦ信号に含まれたユーザの情報のうち少なくとも一つを含む。
【００４０】
なお、前記映像は、前記特性情報に基づいて獲得されたユーザの好み、性別及び年齢のうち少なくとも一つに対応される映像であることが好ましい。
【図面の簡単な説明】
【００４１】
【図１】本発明の第１実施形態にかかる自動販売機に対するブロック図である。
【図２】本発明の第１実施形態に従ってメニュー画面がディスプレイされる自動販売機を示す図である。
【図３】本発明の第１実施形態に従ってメニュー画面がディスプレイされる方法を説明するために提供される図である。
【図４】本発明の第２実施形態にかかる自動販売機に対するブロック図である
【図５】本発明の第２実施形態に従ってメニュー画面がディスプレイされる自動販売機を示す図である。
【図６】本発明の第２実施形態に従ってメニュー画面がディスプレイされる方法を説明するために提供される図である。
【図７】ユーザの左右移動を検知して、ユーザの左右移動に応じてメニュー画面がディスプレイされる自動販売機を示す図である。
【図８】ユーザの左右移動を検知して、ユーザの左右移動に応じてメニュー画面がディスプレイされる複数の自動販売機を示す図である。
【図９】ユーザの左右移動に応じてメニュー画面がディスプレイされる方法を説明するために提供される図である。
【図１０】本発明の第３実施形態にかかる自動販売機に対するブロック図である。
【図１１】本発明の第３実施形態に従ってメニュー画面がディスプレイされる自動販売機を示す図である。
【図１２】本発明の第３実施形態に従ってメニュー画面がディスプレイされる方法を説明するために提供される図である。
【図１３】本発明の第４実施形態にかかる自動販売機に対するブロック図である
【図１４】本発明の第４実施形態に従ってメニュー画面がディスプレイされる自動販売機を示す図である。
【図１５】本発明の第４実施形態に従ってメニュー画面がディスプレイされる方法を説明するために提供される図である。
【図１６】本発明の第５実施形態にかかる物品提供装置に対するブロック図である。
【図１７】本発明の第５実施形態にかかるＧＵＩ提供方法を説明するためのフローチャートである。
【図１８】本発明の第６実施形態にかかるディスプレイ装置に対するブロック図である。
【発明を実施するための形態】
【００４２】
以下に添付図面を参照しながら、本発明の好適な実施の形態について詳細に説明する。
【００４３】
図１は、本発明の第１実施形態にかかる自動販売機１００に対するブロック図である。本実施形態にかかる自動販売機１００は、ユーザの特性に応じてメニュー画面を生成して出力することで、ユーザが所望するメニュー内の物品を選択することができるようにし、ユーザの特性に応じて情報提供画面及び広告画面を生成して出力することで、ユーザの購買欲求を喚起させる。
【００４４】
図１に示すように、本実施形態にかかる自動販売機１００は、外部信号入力部１１０、保存部１２０、制御部１３０、ＧＵＩ（Ｇｒａｐｈｉｃ  Ｕｓｅｒ  Ｉｎｔｅｒｆａｃｅ）生成部１４０及びタッチスクリーン１５０を備える。
【００４５】
外部信号入力部１１０は、外部機器と通信できるように接続され、接続された外部機器に保存されている外部入力映像を受信する。例えば、外部信号入力部１１０は、ユーザの特性に合う情報を受信するためのインターフェースとして、インターネットを介してサーバと接続され、ニュース、天気等に関する情報を受信することができる。このような、外部信号入力部１１０には外部機器と接続されるための端子が設けられる。
【００４６】
保存部１２０には、後述の制御部１３０が自動販売機１００の動作を制御するうえで必要なプログラムが保存される。更に、保存部１２０には、ユーザの特性情報に応じたメニュー画面及び広告画面が保存される。
【００４７】
無論、以上の例のように、外部信号入力部１１０から情報提供画面を受信し、保存部１２０からメニュー画面及び広告画面を受信するものと限定せずに、外部信号入力部１１０からメニュー画面を受信する等、他の方法で実現することも可能であることはいうまでもない。
【００４８】
ＧＵＩ生成部１４０は、メニュー画面に対するＧＵＩを生成し、生成されたＧＵＩを後述するタッチスクリーン１５０に表示する。ＧＵＩ生成部１４０のＧＵＩの生成動作は後述する制御部１３０の制御に従う。
【００４９】
タッチスクリーン１５０にはＧＵＩ生成部１４０から出力されるＧＵＩが付加された映像が表示される。このようにＧＵＩが付加された映像は、メニュー画面、広告画面及び情報提供画面を含む。
【００５０】
メニュー画面は、自動販売機１００の物品保存部（図示せず）に保存されたそれぞれの物品に対応されるＧＵＩで構成された画面である。例えば、物品保存部（図示せず）にコーラ、サイダー及びコーヒーという物品が保存されていれば、タッチスクリーン１５０には、コーラに対応されるＧＵＩ、サイダーに対応されるＧＵＩ及びコーヒーに対応されるＧＵＩのうち少なくとも一つを含むメニュー画面がディスプレイされる。
【００５１】
広告画面は、自動販売機１００の物品保存部（図示せず）に保存されている物品に対して広告するための画面であってもよく、物品保存部（図示せず）に保存されている物品でない他の物品またはサービスに対して広告するための画面であってもよい。前者の場合、自動販売機１００に保存されている物品に対して購買欲求を喚起させて購買を誘導することができる効果があり、後者の場合、広告収益を創出ことができるという効果がある。
【００５２】
情報提供画面は、ニュース、天気等に関する情報を提供するための画面である。このような情報提供画面がディスプレイされることで、ユーザの視線を誘導して究極的に購買を誘導できるという効果がある。
【００５３】
一方、タッチスクリーン１５０は、タッチ、ドラッグ等のようなユーザの操作を入力される手段として機能する。
【００５４】
制御部１３０は、タッチスクリーン１５０または操作手段（図示せず）を介して入力されるユーザの操作に符合するＧＵＩがタッチスクリーン１５０に表示されるように、ＧＵＩ生成部１４０の動作を制御する。更に、制御部１３０は、タッチスクリーン１５０を介して入力されるユーザの特性情報を抽出してこれに対応される映像がタッチスクリーン１５０にディスプレイされるようにする。
【００５５】
具体的に、制御部１３０は、タッチスクリーン１５０でユーザがタッチした部分に対する位置情報を抽出し、抽出された位置情報に基づいたメニュー画面がディスプレイされるようにＧＵＩ生成部１４０及びタッチスクリーン１５０を制御する。
【００５６】
以下では、タッチされた部分の位置情報を抽出してメニュー画面を提供する過程について、図２及び図３を参照して説明することにする。
【００５７】
図２は、本発明の第１実施形態に従ってメニュー画面２００がディスプレイされる自動販売機１００を示す図であり、図３は、本発明の第１実施形態に従ってメニュー画面２００がディスプレイされる方法を説明するために提供される図である。
【００５８】
図２に示すように、本自動販売機１００は、前面部に大型タッチスクリーン１５０を備え、このようなタッチスクリーン１５０はユーザによってタッチされた部分に対する位置情報をユーザの特性情報として抽出する。また、制御部１３０は抽出された位置情報に基づいてメニュー画面２００をディスプレイする。
【００５９】
このような自動販売機１００の動作をみると、まず、制御部１３０は、ユーザがタッチスクリーン１５０をタッチしたか否かを判断する（Ｓ２１０）。ユーザのタッチが入力されていないと判断されると（Ｓ２１０−Ｎ）、制御部１３０は、情報提供画面または広告画面がタッチスクリーン１５０にディスプレイされるようにする（Ｓ２６０）。
【００６０】
ユーザのタッチが入力されていると判断されると（Ｓ２１０−Ｙ）、制御部１３０は、タッチされた部分の高さが予め設定された高さより高いか否かを判断する（Ｓ２２０）。
【００６１】
このように、自動販売機１００は、ユーザのタッチが存在する前は、ユーザの物品購買意図がない場合と判断して、情報提供画面や広告画面をディスプレイすることで、ユーザの物品購買を誘導する。なお、自動販売機１００は、ユーザのタッチが存在した後は、ユーザの物品購買意図がある場合と判断して、物品購買のためにメニュー画面２００をディスプレイすることで、ユーザが物品を購買できるようにする。
【００６２】
一方、タッチされた部分の高さが予め設定された高さより高いと判断されると（Ｓ２２０−Ｙ）、制御部１３０は成人の好みに応じたメニューが生成されるようにＧＵＩ生成部１４０を制御する。
【００６３】
そして、タッチされた部分の高さが予め設定された高さより低いと判断されると（Ｓ２２０−Ｎ）、制御部１３０は児童の好みに応じたメニューが生成されるようにＧＵＩ生成部１４０を制御する。
【００６４】
例えば、タッチされた部分の高さが１５０センチメートル以上であれば、制御部１３０は、コーヒー、緑茶、タバコなどのような成人の好みに応じたメニューが生成されるようにＧＵＩ生成部１４０を制御し、タッチされた部分の高さが１５０センチメートル以下であれば、制御部１３０は、ジュース、コーラ等のような児童の好みに応じたメニューが生成されるようにＧＵＩ生成部１４０を制御する。
【００６５】
即ち、制御部１３０はユーザによってタッチされた部分の高さに応じてユーザの年齢を推定し、これに合うメニューが生成されるようにＧＵＩ生成部１４０を制御する。
【００６６】
勿論、ここでいうコーヒー、緑茶、タバコ、ジュース及びコーラは自動販売機１００の物品保存部（図示せず）に予め保存された物品である。
【００６７】
その後、制御部１３０は、生成されたメニューで構成されたメニュー画面２００が、ユーザによってタッチされた部分にディスプレイされるようにタッチスクリーン１５０を制御する（Ｓ２５０）。
【００６８】
このように、自動販売機１００は、ユーザがタッチした部分が高いか否かに応じて、ユーザの年齢を推定してメニューを構成することで、ユーザにとってはより容易かつ簡便に物品を購買できるようにし、提供者にとってはユーザの購買欲求を喚起させて売り上げを増大させることができるようにする。
【００６９】
なお、ユーザによってタッチされた部分は、ユーザが操作しやすい位置であるため、自動販売機１００は、ユーザがタッチした部分にメニュー画面２００を出力することで、ユーザにとってより便利にメニュー画面２００を視聴することができるようにする。
【００７０】
以上では、予め設定された高さという一つの基準を通じて成人の好みに応じたメニュー画面２００と児童の好みに応じたメニュー画面２００がディスプレイされるように実現した。しかし、複数の基準を通じてメニュー画面２００がディスプレイされるように実現する場合にも本発明が適用されることができるのはいうまでもない。
【００７１】
なお、以上では、ユーザのタッチが入力されなかった場合に情報提供画面または広告画面がディスプレイされるものと想定したが、これは説明の便宜のための例示的な事項に過ぎない。
【００７２】
従って、設定された方式に応じてメニュー画面２００、広告画面及び情報提供画面のうちいずれかがディスプレイされるように実現できることは勿論のことであり、その他の別の画面がディスプレイされるように実現することもできる。即ち、ユーザのタッチが入力された場合にも、タッチされた部分の位置が高いか否かに応じて情報提供画面または広告画面がディスプレイされることができる。例えば、ユーザのタッチが高いと、成人の好みに応じたニュースまたは広告がディスプレイされ、ユーザのタッチが低いと、児童の好みに応じたニュースまたは広告がディスプレイされるように実現することができる。
【００７３】
以下では、本発明の第２実施形態について、図４を参照して詳細に説明する。図４は、本発明の第２実施形態にかかる自動販売機１００に対するブロック図である。
【００７４】
図４に示された自動販売機１００の外部信号入力部１１０、保存部１２０、ＧＵＩ生成部１４０及びディスプレイ部１６０に対する説明は、図１に示された自動販売機１００の外部信号入力部１１０、保存部１２０、ＧＵＩ生成部１４０及びタッチスクリーン１５０に対する説明と同一或いは類推可能であるため省略し、以下では位置センサ１７０と制御部１３０についてのみ説明することにする。
【００７５】
位置センサ１７０は、特定の距離内に存在するユーザの特性情報を抽出する。このような位置センサ１７０は、自動販売機１００から特定の距離内に位置したユーザの身長に対する情報を抽出し、抽出されたユーザの身長に対する情報を制御部１３０に伝達する。
【００７６】
制御部１３０は、位置センサ１７０を介して抽出されたユーザの身長に対する情報を抽出し、これに対応する映像がディスプレイ部１６０にディスプレイされるようにする。
【００７７】
具体的に、制御部１３０は、位置センサ１７０を介して自動販売機１００を基準に特定の距離内に位置したユーザの身長に対する情報を抽出し、抽出された身長情報に基づいたメニュー画面２００がディスプレイされるようにＧＵＩ生成部１４０を制御する。
【００７８】
以下では、ユーザの身長を抽出してメニュー画面２００を提供する過程について、図５及び図６を参照して説明することにする。
【００７９】
図５は、本発明の第２実施形態に従ってメニュー画面２００がディスプレイされる自動販売機１００を示す図であり、図６は、本発明の第２実施形態に従ってメニュー画面２００がディスプレイされる方法を説明するために提供される図である。
【００８０】
図５に示すように、本自動販売機１００は、前面部に大型ディスプレイ部１６０を備え、自動販売機１００の上側にはユーザの身長を検知するための位置センサ１７０を備える。このような位置センサ１７０は、ユーザの身長に対する情報をユーザの特性情報として抽出する。また、制御部１３０は抽出された身長情報に基づいてメニュー画面２００をディスプレイする。
【００８１】
以上では、一つの位置センサ１７０が自動販売機１００の上側に備えられたものと想定したが、これは説明の便宜のための例示的な事項に過ぎない。従って、複数の位置センサが自動販売機１００の他の部分に備えられた場合にも本発明を適用することができる。
【００８２】
一方、このような自動販売機１００の動作をみると、まず、位置センサ１７０は、ユーザが自動販売機１００を基準にして特定の半径内に接近したか否かを判断する（Ｓ３１０）。ユーザが特定の半径内に接近していないと判断されると（Ｓ３１０−Ｎ）、制御部１３０は、情報提供画面または広告画面がディスプレイ部１６０にディスプレイされるようにする（Ｓ３７０）。
【００８３】
ユーザが特定の半径内に接近したと判断されると（Ｓ３１０−Ｙ）、位置センサ１７０はユーザの身長を検知する（Ｓ３２０）。
【００８４】
このように、自動販売機１００は、ユーザが接近していない場合には、ユーザの物品購買意図がない場合と判断して、情報提供画面や広告画面をディスプレイすることで、ユーザの物品購買を誘導する。一方、自動販売機１００は、ユーザが接近した場合には、ユーザの物品購買意図がある場合と判断して、物品購買のためにメニュー画面２００をディスプレイすることで、ユーザが物品を購買できるようにする。
【００８５】
その後、ユーザの身長が高いと判断されると（Ｓ３３０−Ｙ）、制御部１３０は成人の好みに応じたメニューが生成されるようにＧＵＩ生成部１４０を制御する（Ｓ３４０）。
【００８６】
一方、ユーザの身長が低いと判断されると（Ｓ３３０−Ｎ）、制御部１３０は児童の好みに応じたメニューが生成されるようにＧＵＩ生成部１４０を制御する（Ｓ３５０）。
【００８７】
例えば、ユーザの身長が１５０センチメートル以上であれば、制御部１３０は、コーヒー、緑茶、タバコ等のような成人の好みに応じたメニューが生成されるようにＧＵＩ生成部１４０を制御し、ユーザの身長が１５０センチメートル以下であれば、制御部１３０は、ジュース、コーラ等のような児童の好みに応じたメニューが生成されるようにＧＵＩ生成部１４０を制御する。即ち、制御部１３０は位置センサ１７０によって把握されたユーザの身長に応じてユーザの年齢を推定し、これに合うメニューが生成されるようにＧＵＩ生成部１４０を制御する。
【００８８】
その後、制御部１３０は、生成されたメニューで構成されたメニュー画面２００が、ユーザの身長に対応する部分にディスプレイされるようにする（Ｓ３６０）。即ち、制御部１３０はユーザの身長に合う位置にメニュー画面２００がディスプレイされるようにして、適当な位置でユーザが便利にメニューを選択できるようにする。
【００８９】
このように、自動販売機１００は、ユーザの身長が高いか否かに応じて、ユーザの年齢を推定してメニューを構成することで、ユーザにとってはより容易かつ簡便に物品を購買できるようにし、提供者にとってはユーザの購買欲求を喚起させて売り上げを増大させることができるようにする。
【００９０】
一方、位置センサ１７０は、自動販売機１００から特定の距離内に位置したユーザの左右移動に対する情報を抽出することができる。図７及び図８は、ユーザの左右移動を検知して、ユーザの左右移動に応じてメニュー画面２００がディスプレイされる自動販売機１００を示す図である。
【００９１】
図７に示すように、位置センサ１７０は、自動販売機１００を基準にしたユーザの左右移動を検知する。
【００９２】
位置センサ１７０がユーザの左右移動を検知すると、制御部１３０はユーザの左右移動に対する情報を位置センサ１７０から受信して、ユーザの左右移動に対応されるメニュー画面２００がディスプレイ部１６０にディスプレイされるようにする。
【００９３】
即ち、図７に示されるように、ユーザが左側から右側に移動したと判断されると、制御部１３０はディスプレイ部１６０の右側から左側にメニュー画面２００が移動されるようにして、ユーザの移動に従ってメニュー画面２００が同時に移動して表示されるようにする。
【００９４】
なお、制御部１３０は、ユーザの左右移動に従ってメニュー画面２００の配置形態が変更されるように制御する。例えば、ユーザが自動販売機１００の中央にいる場合には、メニュー画面２００が中央にディスプレイされる。このように、メニュー画面２００が中央に位置した場合にはディスプレイ部１６０の左右側に空間が多く残っている状態であるため、制御部１３０はメニュー画面２００が横に配列されるように制御する。これにより、ユーザは、同一の目の高さで複数のメニューを選択することができる。
【００９５】
一方、ユーザが自動販売機１００の左側にいる場合には、メニュー画面２００が左側にディスプレイされる。このように、メニュー画面２００が左側に位置した場合には、ディスプレイ部１６０の左側にメニュー画面２００を表示する空間が十分でなくなる。よって、制御部１３０は、メニュー画面２００が縦に配列されるように制御して、メニュー画面２００がユーザに提供できるように制御する。これは、ユーザが自動販売機２００の右側にいる場合にも同様の論理で適用される。
【００９６】
一方、図８のように、複数の自動販売機１００が左右に連結された状態においても、図７のような動作が可能となる。
【００９７】
図８に示すように、それぞれの位置センサ１７０−１、１７０−２、１７０−３は、自動販売機１００を基準にしたユーザの左右移動を検知する。
【００９８】
それぞれの位置センサ１７０−１、１７０−２、１７０−３がユーザの左右移動を検知すると、制御部１３０はユーザの左右移動に対する情報をそれぞれの位置センサ１７０−１、１７０−２、１７０−３から受信して、ユーザの左右移動に対応されるメニュー画面２００がディスプレイ部１６０にディスプレイされるようにする。
【００９９】
即ち、図８に示されるように、ユーザが１番目の位置センサ１７０−１の作動半径内から２番目の位置センサ１７０−２と３番目の位置センサ１７０−３の作動半径内に移動すると、制御部１３０は１番目のディスプレイ部１６０−１の右側から左側にメニュー画面が移動されるようにした後、２番目のディスプレイ部１６０−２及び３番目のディスプレイ部１６０−３まで移動されるようにして、ユーザの移動に従ってメニュー画面が同時に移動して表示されるようにする。
【０１００】
なお、図示のように、ユーザが２番目の位置センサ１７０−２と３番目の位置センサ１７０−３との作動半径の中間に位置するようになると、制御部１３０はＧＵＩ生成部１４０を制御して、メニュー画面の半分２００−２は２番目のディスプレイ部１６０−２に表示され、メニュー画面の残り半分２００−３は３番目のディスプレイ部１６０−３に表示されるようにする。
【０１０１】
このように、複数の自動販売機１００が直列に連結されている場合にも、ユーザの左右移動に従ってメニュー画面が共に移動し、ユーザが便利に物品を購買することができるようにし、ユーザの購買欲求を喚起させることができるようになる。
【０１０２】
図９は、ユーザの左右移動に従ってメニュー画面がディスプレイされる方法を説明するために提供される図である。
【０１０３】
まず、位置センサ１７０は、ユーザが特定の半径内に接近したか否かを判断する（Ｓ４１０）。ユーザが特定の半径内に接近していないと判断されると（Ｓ４１０−Ｎ）、制御部１３０は、情報提供画面または広告画面がディスプレイ部１６０にディスプレイされるようにする（Ｓ４５０）。
【０１０４】
ユーザが特定の半径内に接近したと判断されると（Ｓ４１０−Ｙ）、制御部１３０は、ユーザの位置に対応する部分にメニュー画面がディスプレイされるようにする（Ｓ４２０）。
【０１０５】
このように、自動販売機１００は、ユーザが特定の半径内に接近する前は、ユーザの物品購買意図がない場合と判断して、情報提供画面や広告画面をディスプレイすることで、ユーザの物品購買を誘導する。一方、自動販売機１００は、ユーザが特定の半径内に接近した後は、ユーザの物品購買意図がある場合と判断して、物品購買のためにメニュー画面２００をディスプレイすることで、ユーザが物品を購買できるようにする。
【０１０６】
一方、ユーザが左右に移動したと判断されると（Ｓ４３０−Ｙ）、制御部１３０は、ユーザが移動した位置に対応して、メニュー画面が共に移動して表示されるように制御する。
【０１０７】
このように、自動販売機１００は、ユーザの左右移動に応じて対応する位置にメニュー画面を共に移動させながらディスプレイすることで、ユーザにとってはより容易かつ簡便に物品を購買できるようにし、提供者にとってはユーザの購買欲求を喚起させて売り上げを増大させることができるようにする。
【０１０８】
以下では、本発明の第３実施形態について、図１０を参照して詳細に説明する。図１０は、本発明の第３実施形態にかかる自動販売機１００に対するブロック図である。
【０１０９】
図１０に示された自動販売機１００の外部信号入力部１１０、保存部１２０、ＧＵＩ生成部１４０及びディスプレイ部１６０に対する説明は、図１に示された自動販売機１００の外部信号入力部１１０、保存部１２０、ＧＵＩ生成部１４０及びタッチスクリーン１５０に対する説明と同一或いは類推可能であるため省略し、以下ではＲＦＩＤ(Ｒａｄｉｏ  Ｆｒｅｑｕｅｎｃｙ  Ｉｄｅｎｔｉｆｉｃａｔｉｏｎ)リーダー１８０及び制御部１３０についてのみ説明することにする。
【０１１０】
ＲＦＩＤリーダー１８０は、ＲＦＩＤタグ１８５から伝送されるＲＦ（Ｒａｄｉｏ  Ｆｒｅｑｕｅｎｃｙ）信号を受信する。即ち、ＲＦＩＤリーダー１８０は、自動販売機１００から特定の距離内に位置したユーザが持つＲＦＩＤタグ１８５から伝送されるＲＦ信号からユーザに対する情報を抽出し、抽出されたユーザに対する情報を制御部１３０に伝達する。
【０１１１】
制御部１３０はＲＦＩＤリーダー１８０を通じて抽出されたユーザに対する情報を用いて、これに対応する映像がディスプレイ部１６０にディスプレイされるようにする。
【０１１２】
以下では、抽出されたユーザに対する情報を用いてメニュー画面２００を提供する過程について、図１１及び図１２を参照して説明することにする。
【０１１３】
図１１は、本発明の第３実施形態に従ってメニュー画面２００がディスプレイされる自動販売機１００を示す図であり、図１２は、本発明の第３実施形態に従ってメニュー画面２００がディスプレイされる方法を説明するために提供される図である。
【０１１４】
図１１に示すように、本自動販売機１００は、前面部に大型ディスプレイ部１６０を備え、ユーザが持つＲＦＩＤタグ１８５からＲＦ信号を受信するためのＲＦＩＤリーダー１８０を備える。このようなＲＦＩＤリーダー１８０は、ＲＦＩＤタグ１８５からユーザに対する情報の含まれたＲＦ信号を抽出する。また、制御部１３０は抽出されたＲＦ信号に含まれたユーザに対する情報に基づいてメニュー画面２００及び情報提供画面２５０をディスプレイする。
【０１１５】
このような自動販売機１００の動作をみると、まず、ＲＦＩＤリーダー１８０は、ユーザが自動販売機１００を基準にして特定の半径内に接近したか否かを判断する（Ｓ５１０）。ユーザが特定の半径内に接近していないと判断されると（Ｓ５１０−Ｎ）、制御部１３０は、情報提供画面または広告画面がディスプレイ部１６０にディスプレイされるようにする（Ｓ５５０）。
【０１１６】
ユーザが特定の半径内に接近したと判断されると（Ｓ５１０−Ｙ）、ＲＦＩＤリーダー１８０はユーザが持つＲＦＩＤタグ１８５からＲＦ信号を受信してユーザに対する情報を把握する（Ｓ５２０）。
【０１１７】
その後、制御部１３０は、ユーザに対する情報に基づいてユーザが嗜好する分野の記事が情報提供画面２５０にディスプレイされ（Ｓ５３０）、ユーザが嗜好する製品からなるメニューがメニュー画面２００にディスプレイされるように制御する（Ｓ５４０）。
【０１１８】
このように、ユーザが嗜好する分野の記事及び製品などのユーザに対する情報は、ユーザが予め設定してＲＦＩＤタグに保存しておくことができる。ＲＦＩＤタグ１８５にはユーザに対するＩＤのみ保存され、ユーザのＩＤに対応される嗜好記事及び製品などはユーザによって設定された自動販売機１００に保存されることができる。
【０１１９】
このように、自動販売機１００は、ユーザの情報に応じて能動的にメニューを構成して情報を提供することで、ユーザにとってはより容易かつ簡便に物品を購買できるようにし、提供者にとってはユーザの購買欲求を喚起させて売り上げを増大させることができるようにする。
【０１２０】
以下では、本発明の第４実施形態について、図１３を参照して詳細に説明する。図１３は、本発明の第４実施形態にかかる自動販売機１００に対するブロック図である。
【０１２１】
図１３に示された自動販売機１００の外部信号入力部１１０、保存部１２０、ＧＵＩ生成部１４０及びディスプレイ部１６０に対する説明は、図１に示された自動販売機１００の外部信号入力部１１０、保存部１２０、ＧＵＩ生成部１４０及びタッチスクリーン１５０に対する説明と同一或いは類推可能であるため省略し、以下ではボタン部１９０と制御部１３０についてのみ説明することにする。
【０１２２】
ボタン部１９０は、複数のボタンで構成され、ユーザの選択命令を受信するために提供される。このようなボタン部１９０は、複数のボタンのうちあるボタンが選択されたか否かをユーザの特性情報として抽出し、選択されたボタンに対する情報を制御部１３０に伝達する。
【０１２３】
制御部１３０は、ボタン部１９０を介して入力されたユーザの選択命令に基づいて、これに対応する映像がディスプレイ部１６０にディスプレイされるようにする。
【０１２４】
具体的に、制御部１３０は、垂直に配列された複数のボタンのうちユーザの選択命令によって選択されたボタンに対する情報を抽出し、抽出された選択ボタンの情報に基づいてユーザの身長に対する情報を抽出する。従って、制御部１３０は、ユーザの身長に基づいたメニュー画面２００がディスプレイされるようにＧＵＩ生成部１４０を制御する。
【０１２５】
以下では、ユーザが選択したボタンに対する情報を抽出してメニュー画面２００を提供する過程について、図１４及び図１５を参照して説明することにする。
【０１２６】
図１４は、本発明の第４実施形態に従ってメニュー画面２００がディスプレイされる自動販売機１００を示す図であり、図１５は、本発明の第４実施形態に従ってメニュー画面２００がディスプレイされる方法を説明するために提供される図である。
【０１２７】
図１４に示すように、本自動販売機１００は、前面部に大型ディスプレイ部１６０を備え、自動販売機１００の一側にはユーザの選択命令を受信するためのボタン部１９０を備える。このようなボタン部１９０は垂直に配列された複数のボタンから構成される。
【０１２８】
ユーザが複数のボタンのうちいずれか一つを選択すると、ボタン部１９０は、ユーザが選択したボタンに対する情報に基づいてユーザの身長に対する情報を抽出する。なお、制御部１３０は、抽出された身長情報に基づいてメニュー画面２００をディスプレイする。
【０１２９】
このような自動販売機１００の動作をみると、まず、ボタン部１９０は、ユーザによってボタン部１９０に設けられた複数のボタンのうちのいずれかがタッチされたか否かを判断する（Ｓ６１０）。ボタンがタッチされていないと判断されると（Ｓ６１０−Ｎ）、制御部１３０は、情報提供画面または広告画面がディスプレイ部１６０にディスプレイされるようにする（Ｓ６６０）。
【０１３０】
ボタンがタッチされたと判断されると（Ｓ６１０−Ｙ）、制御部１３０はタッチされたボタンの高さが高いか否かを判断する（Ｓ６２０）。
【０１３１】
タッチされたボタンの高さが高いと判断されると（Ｓ６２０−Ｙ）、制御部１３０は、成人の好みに応じたメニューが生成されるようにＧＵＩ生成部１４０を制御し（Ｓ６３０）、タッチされたボタンの高さが低いと判断されると（Ｓ６２０−Ｎ）、制御部１３０は、児童の好みに応じたメニューが生成されるようにＧＵＩ生成部１４０を制御する（Ｓ６４０）。
【０１３２】
例えば、ユーザがタッチしたボタンの高さが１５０センチメートル以上であれば、制御部１３０は、コーヒー、緑茶、タバコ等のような成人の好みに応じたメニューが生成されるようにＧＵＩ生成部１４０を制御し、ユーザがタッチしたボタンの高さが１５０センチメートル以下であれば、制御部１３０は、ジュース、コーラ等のような児童の好みに応じたメニューが生成されるようにＧＵＩ生成部１４０を制御する。即ち、制御部１３０はタッチされたボタンの高さによって把握されたユーザの身長に応じてユーザの年齢を推定し、これに合うメニューが生成されるようにＧＵＩ生成部１４０を制御する。
【０１３３】
その後、制御部１３０は、生成されたメニューで構成されたメニュー画面２００が、ユーザがタッチしたボタンの高さと比例する部分にディスプレイされるようにする（Ｓ６５０）。即ち、制御部１３０はユーザの身長に合う位置にメニュー画面２００がディスプレイされるようにして、適当な位置でユーザが便利にメニューを選択することができるようにする。
【０１３４】
このように、自動販売機１００は、タッチされたボタンの高さが高いか否かに応じて、ユーザの年齢を推定してメニューを構成することで、ユーザにとってはより容易かつ簡便に物品を購買できるようにし、提供者にとってはユーザの購買欲求を喚起させて売り上げを増大させることができるようにする。
【０１３５】
図１６は、本発明の第５実施形態にかかる物品提供装置７００に対するブロック図である。同図に示すように、本実施形態にかかる物品提供装置７００は、抽出部７１０、制御部７３０及びディスプレイ部７５０を備える。
【０１３６】
抽出部７１０は、特定の距離内に存在するユーザの特性情報を抽出する。
【０１３７】
制御部７３０は、特性情報に対応する映像がディスプレイされるように制御する。
【０１３８】
ディスプレイ部７５０は、外部または内部から入力されるビデオ信号をディスプレイする。
【０１３９】
一方、図１７は、本発明の第５実施形態にかかるＧＵＩ提供方法を説明するためのフローチャートである。同図に示すように、まず、抽出部７１０は、特定の距離内にユーザが存在するか否かを判断する（Ｓ８１０）。
【０１４０】
特定の距離内にユーザが存在すると判断されると、抽出部７１０は、ユーザの特性情報を抽出する（Ｓ８３０）。
【０１４１】
その後、制御部７３０は特性情報に対応する映像がディスプレイされるようにする。
【０１４２】
これによっても、ユーザにとってはより容易かつ簡便に物品を購買できるようにし、提供者にとってはユーザの購買欲求を喚起させて売り上げを増大させることができるようにする。
【０１４３】
以上では、物品提供装置に対する例として自動販売機を基準にして説明したが、本発明の技術的な思想が必ず販売のための装置に限定されるわけではなく、販売でない単なる提供のための装置にも適用できることは言うまでもない。
【０１４４】
図１８は、本発明の第６実施形態にかかるディスプレイ装置８００に対するブロック図である。同図に示すように、本実施形態にかかるディスプレイ装置８００は、制御部８１０、ＧＵＩ生成部８３０及びディスプレイ部８５０を備える。
【０１４５】
ディスプレイ部８５０は、入力された映像をディスプレイする。
【０１４６】
ＧＵＩ生成部８３０は、ディスプレイ部８５０に表示されるＧＵＩ映像を生成する。
【０１４７】
制御部８１０は、ユーザの特性情報に基づいた映像が生成されるようにＧＵＩ生成部８３０を制御し、生成された映像がディスプレイ部８５０にディスプレイされるようにする。
【０１４８】
本発明の多様な実施形態によると、ユーザの特性情報に応じて互いに異なる画面をユーザに提供することで、ユーザにとってはより容易かつ簡便に物品を購買できるようにし、提供者にとってはユーザの購買欲求を喚起させて売り上げを増大させることができるようにする。
【０１４９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５０】
１１０  外部信号入力部
１２０  保存部
１３０  制御部
１４０  ＧＵＩ生成部
１５０  タッチスクリーン
１６０  ディスプレイ部
１７０  位置センサ
１８０  ＲＦＩＤリーダー
１９０  ボタン部
【図１】
2012519922.tif 000003
【図２】
2012519922.tif 000004
【図３】
2012519922.tif 000005
【図４】
2012519922.tif 000006
【図５】
2012519922.tif 000007
【図６】
2012519922.tif 000008
【図７】
2012519922.tif 000009
【図８】
2012519922.tif 000010
【図９】
2012519922.tif 000011
【図１０】
2012519922.tif 000012
【図１１】
2012519922.tif 000013
【図１２】
2012519922.tif 000014
【図１３】
2012519922.tif 000015
【図１４】
2012519922.tif 000016
【図１５】
2012519922.tif 000017
【図１６】
2012519922.tif 000018
【図１７】
2012519922.tif 000019
【図１８】
2012519922.tif 000020
【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
外部または内部から入力されるビデオ信号をディスプレイするディスプレイ部と、
特定の距離内に存在するユーザの特性情報を抽出する抽出部と、
前記特性情報に対応する映像がディスプレイされるようにする制御部と、
を含む物品提供装置。
【請求項２】
前記映像は、ユーザが選択できる物品のメニュー画面または広告画面のうち少なくとも一つを含むことを特徴とする請求項１に記載の物品提供装置。
【請求項３】
前記抽出部は、ユーザによってタッチされた部分に対する位置情報を前記ユーザの特性情報として抽出するためのタッチスクリーンを含み、
前記制御部は、前記位置情報に基づいて前記メニュー画面がディスプレイされるように制御することを特徴とする請求項２に記載の物品提供装置。
【請求項４】
前記映像は、前記タッチされた部分の高さに基づいて算出された年齢に対応する広告画面であることを特徴とする請求項２に記載の物品提供装置。
【請求項５】
前記抽出部は、ユーザの身体寸法を前記ユーザの特性情報として抽出するための位置センサを含み、
前記制御部は、前記特性情報に基づいて前記映像がディスプレイされるように制御することを特徴とする請求項２に記載の物品提供装置。
【請求項６】
前記特性情報はユーザの身長であることを特徴とし、  
前記制御部は、前記ユーザの身長に基づいて前記メニュー画面がディスプレイされるように制御する請求項５に記載の物品提供装置。
【請求項７】
前記特性情報は、ユーザの視野範囲であることを特徴とし、
前記制御部は、前記ユーザの視野範囲内に前記メニュー画面がディスプレイされるように制御する請求項５に記載の物品提供装置。
【請求項８】
前記映像は、前記特性情報に基づいて算出された年齢に対応する広告画面であることを特徴とする請求項５に記載の物品提供装置。
【請求項９】
前記抽出部は、ユーザが持つＲＦＩＤ（Ｒａｄｉｏ  Ｆｒｅｑｕｅｎｃｙ  Ｉｄｅｎｔｉｆｉｃａｔｉｏｎ）タグによって伝送されるＲＦ（Ｒａｄｉｏ  Ｆｒｅｑｕｅｎｃｙ）信号に基づいて前記ユーザの特性情報を抽出するためのＲＦＩＤリーダーを含み、
前記制御部は、前記ユーザの特性情報に対応する映像がディスプレイされるように制御することを特徴とする請求項２に記載の物品提供装置。
【請求項１０】
前記抽出部は、上下に配列された複数の入力ボタンを含み、
前記制御部は、前記複数の入力ボタンのうちユーザによって選択された入力ボタンに対応する映像がディスプレイされるように制御することを特徴とする請求項１に記載の物品提供装置。
【請求項１１】
前記抽出部は、
前記物品提供装置を基準にしたユーザの左右移動を検知する位置センサを含み、
前記制御部は、
前記ユーザの左右移動に対応する映像がディスプレイされるように制御することを特徴とする請求項２に記載の物品提供装置。
【請求項１２】
ユーザが特定の距離内に存在するか否かを判断するステップと、
前記ユーザが特定の距離内に存在すれば、前記ユーザの特性情報を抽出するステップと、
前記特性情報に対応する映像を生成してディスプレイするステップと、
を含むＧＵＩ（Ｇｒａｐｈｉｃ  Ｕｓｅｒ  Ｉｎｔｅｒｆａｃｅ）生成方法。
【請求項１３】
前記映像は、ユーザが選択できる物品のメニュー画面または広告画面のうち少なくとも一つを含むことを特徴とする請求項１２に記載のＧＵＩ生成方法。
【請求項１４】
前記抽出ステップは、前記ユーザによってタッチされた部分に対する位置情報を前記ユーザの特性情報として抽出することを特徴とする請求項１２に記載のＧＵＩ生成方法。
【請求項１５】
前記映像は、前記タッチされた部分の高さに基づいて算出された年齢に対応する広告画面であることを特徴とする請求項１２に記載のＧＵＩ生成方法。
【国際調査報告】
2012519922.tif 000021
2012519922.tif 000022